(57)【特許請求の範囲】
【請求項１】
インバータ（１）をＡＣ電圧グリッド（７）の３つの外部導体（Ｌ１、Ｌ２、Ｌ３）および中性線（Ｎ）に接続するための４つの導体コネクタ（３〜６）を持つ端子（２）を有する前記インバータ（１）を動作させるための方法において、
前記方法は、前記インバータ（１）の前記ＡＣ電圧グリッド（７）への接続形態を判定するための検査ステップを含み、
前記インバータ（１）のブリッジ回路（８）のスイッチング素子は、零相系統を生成するために、前記検査ステップの一部として作動し、
前記検査ステップの一部として、前記インバータ（１）の出力電流（ＩＬ１、ＩＬ２、ＩＬ３、ＩＮ）が測定されて零相系統電流に関して評価され、前記検査ステップの一部として、規定された閾値を超える零相系統電流が検出されるとき、前記中性線（Ｎ）に接続するために設けられた導体コネクタ（６）への前記中性線（Ｎ）の接続の存在が識別され、これが当てはまらない場合、前記中性線（Ｎ）は、前記中性線（Ｎ）に接続するために設けられた前記導体コネクタ（６）に接続されていないと識別される
ことを特徴とする方法。
【請求項２】
請求項１に記載の方法において、前記インバータ（１）のさらなる動作のために、前記検査ステップの一部として、前記中性線（Ｎ）に接続するために設けられた前記導体コネクタ（６）への前記中性線（Ｎ）の接続が存在すると識別されているとき、接続された中性線（Ｎ）を含む４導体動作に適合された第１の動作管理手順が選択されることと、これが当てはまらない場合、接続された中性線（Ｎ）を含まない３導体動作に適合された第２の動作管理手順が選択され、前記第２の動作管理手順は前記第１の動作管理手順と異なることとを特徴とする方法。
【請求項３】
請求項２に記載の方法において、前記インバータ（１）に格納された事前設定値を使用して、前記インバータ（１）を前記第１の動作管理手順に基づく給電モードで動作させるべきか前記第２の動作管理手順に基づく給電モードで動作させるべきかを規定することを特徴とする方法。
【請求項４】
請求項３に記載の方法において、前記事前設定値により規定された前記動作管理手順と前記検査ステップに基づき選択される前記動作管理手順との間の不一致が起こったときに、警告メッセージが生成され、前記警告メッセージは、前記インバータ（１）に格納され、および／または前記インバータ（１）のオペレータに通信されることを特徴とする方法。
【請求項５】
請求項２乃至４の何れか１項に記載の方法において、前記インバータ（１）は、前記検査ステップに基づき選択された前記動作管理手順に基づいて動作することを特徴とする方法。
【請求項６】
請求項３乃至５の何れか１項に記載の方法において、前記事前設定値により規定された前記動作管理手順と前記検査ステップに基づき選択された前記動作管理手順との間の不一致が起こったときに、前記インバータ（１）が前記ＡＣ電圧グリッド（７）に電力を供給しないことを特徴とする方法。
【請求項７】
請求項５に記載の方法において、前記インバータ（１）は、前記ＡＣ電圧グリッド（７）に電力を供給することを特徴とする方法。
【請求項８】
請求項７に記載の方法において、前記第１の動作管理手順は、前記ＡＣ電圧グリッド（７）への前記出力電流（ＩＬ１、ＩＬ２、ＩＬ３）の非対称な供給を含むことを特徴とする方法。
【請求項９】
請求項１乃至８の何れか１項に記載の方法において、前記検査ステップは、前記インバータ（１）の起動の一部としておよび／または始動プロセスの間に、実行されることを特徴とする方法。
【請求項１０】
請求項１乃至９の何れか１項に記載の方法において、前記検査ステップの一部として、前記インバータ（１）の前記ブリッジ回路（８）の前記スイッチング素子は、グリッド周波数より高い周波数を持つ零相系統を生成するために作動することを特徴とする方法。
【請求項１１】
請求項１０に記載の方法において、前記零相系統の前記周波数は、前記グリッド周波数の非整数倍を有することを特徴とする方法。
【請求項１２】
請求項１乃至１１の何れか１項に記載の方法において、前記検査ステップの一部として、前記インバータ（１）の前記ブリッジ回路（８）の前記スイッチング素子を作動させるために制御構造が使用され、前記制御構造において前記零相系統電流に対する設定値が前記零相系統電流の実際値と比較されることを特徴とする方法。
【請求項１３】
直流から交流に電力を変換して前記変換された電力をＡＣ電圧グリッド（８）に供給するためのインバータ（１）において、前記インバータ（１）は、前記インバータ（１）をＡＣ電圧グリッド（７）の３つの外部導体（Ｌ１、Ｌ２、Ｌ３）および中性線（Ｎ）に接続するための４つの導体コネクタ（３〜６）を持つ端子（２）を有し、前記インバータ（１）は、請求項１乃至１２の何れか１項に記載の方法を使用して前記インバータ（１）を動作させるように構成される制御ユニットを備えることを特徴とするインバータ（１）。
【請求項１４】
請求項１３に記載のインバータ（１）において、前記中性線（Ｎ）の前記接続のために設けられた前記導体コネクタ（６）は、ＤＣリンク回路（９）の中央点（Ｍ）に接続されていることを特徴とするインバータ（１）。
【請求項１５】
請求項１３または１４に記載のインバータ（１）において、前記中性線（Ｎ）の前記接続のために設けられた前記導体コネクタ（６）は、２つの半導体スイッチング素子間の接続部に接続されており、前記半導体スイッチング素子は、ＤＣリンク回路（９）と並列に配置された直列回路を形成することを特徴とするインバータ（１）。
【請求項１６】
請求項１５に記載のインバータ（１）において、前記中性線（Ｎ）の前記接続のために設けられた前記導体コネクタ（６）は、前記ＤＣリンク回路（９）の中央点（Ｍ）に、または前記ＤＣリンク回路（９）と並列に配置された前記直列回路の前記半導体スイッチング素子間の前記接続部に、スイッチング素子（１０）を用いて接続されていることを特徴とするインバータ（１）。
【発明の詳細な説明】
【技術分野】
【０００１】
本発明は、エネルギー生成ユニットの電力を変換して変換された電力をエネルギー供給グリッドに供給するためのインバータを動作させる方法に関し、本発明による方法を使用するインバータに関する。
【背景技術】
【０００２】
インバータは、エネルギー生成ユニットの電力を直流から交流に変換して、それをエネルギー供給グリッド、例えばＡＣ電圧グリッドに供給することができ、および／または、それを電気負荷の動作のために電気負荷に直接供給することができる。発電機は、具体的には、ここではエネルギー生成ユニットとして使用することができ、前記発電機は、再生可能な電源、例えば太陽光発電機または風力発電機から電力を生成する。
【０００３】
インバータは、さまざまな方法でＡＣ電圧グリッドに接続することができる。具体的には数キロワットからの電力において、三相出力を用いて三相ＡＣ電圧グリッドに給電するインバータを使用することができる。この種の三相ＡＣ電圧グリッドは、しばしばＬ１、Ｌ２およびＬ３と呼ばれる、３つのいわゆる外部導体または相を有する。加えるに、中性線（略してＮ線、または単にＮ）および任意選択的に保護導体（略してＰＥ導体、または単にＰＥ）が存在してもよく、ＮおよびＰＥは、複合型ＰＥＮ導体として同様に実施することができる。この種の４導体グリッドは、具体的には、ＴＮ系統と呼ばれ、具体的には、低電圧範囲で、例えば配電グリッドで使用される。
【０００４】
ＴＮ系統と対照的に、いわゆるＩＴ系統は、中性線を有さず、したがって３導体グリッドを構成する。この種のＩＴ系統は、具体的には、共通のグリッド接続点を用いて上位の配電または伝送グリッドに接続される、複数のインバータを持つエネルギー生成設備で使用することができる。設置のためのコストを考慮すると、３導体グリッド、例えばＩＴグリッドを形成することは、複数のインバータならびにインバータとグリッド接続点との間の相応に大きい数および長さの線路を持つ、大規模エネルギー生成設備のオペレータに有利であり得る。
【０００５】
インバータの動作は、インバータが接続されるＡＣ電圧グリッドの実際の実施形態に依存する。例えば、インバータの出力電流の調整に必要な出力電圧の測定は、外部導体と基準グランド電位との間で行われてもよく、そこでは、中性線が存在しインバータに接続されているとき、基準グランド電位はこの中性線により形成することができ、これが当てはまらない場合、別の電位、例えばグランド電位が基準グランド電位として選択されることになっている。さらに、残留電流検出などの保護対策は、中性線を通した電流の流れが可能であるかどうかに応じて異なるように設計することができる。出力電流の調整のパラメータ化、および特定の特性を持つ出力電流、例えばＡＣ電圧グリッドを安定化させるための非対称の出力電流の生成は、中性線の存在およびそのインバータへの接続に依存する。
【０００６】
本質的に、インバータを含むエネルギー生成設備の特定の設計、具体的にはエネルギー生成設備内の特定のケーブル配線、またはインバータのＡＣ電圧グリッドへの特定の接続に依存する、インバータの２つの異なるタイプの動作管理手順が知られている。普遍的に使用され得るように意図されている、インバータは、原則として、Ｎ線に接続するために同様に設けられる、出力端子を備えることができ、前記接続は必ずしも存在していなくてもよく、具体的には、インバータが中性線を持たない３導体グリッドに給電するように意図されているとき使用されない。
【０００７】
欧州特許出願公開第２２５１７０２Ａ１号明細書は、グリッド側の中性線に対して導体電圧を有する低電圧三相グリッドに接続するようにインバータが構成され、導体電圧を測定するために測定回路が設けられる、インバータの配線をテストするための配線テスト装置を開示する。中性線接続が失われた場合、インバータの出力側で相と中性線との間に接続されている追加の要素、具体的にはコンデンサに起因して電圧非対称が作り出され、前記電圧非対称は、導体電圧を測定することにより判定することが可能である。したがって、中性線接続が失われたときに、障害メッセージを出力することができる。追加の構成要素は、追加のコストを発生させ、インバータの出力側に同じく配置された出力フィルタの特性が悪影響を受けることによって、インバータの電磁両立性を損なう。
【０００８】
米国特許出願公開第２００９／０２９６２８９Ａ１号明細書は、コンバータの入力側がＡＣ電圧グリッドに接続され、コンバータの出力側が負荷に対する三相接続を有する、モータコントローラのコンバータにおける障害を識別する方法を開示する。入力側および／または出力側の地絡は、インバータがその作動に基づいてＡＣ電圧グリッドに零相系統電流を供給しようと試みることによって、検出することができる。インバータに接続された相導体で零相系統電流が検出されるとき、障害信号が発せられる。ＡＣ電圧グリッドの可能な中性線へのコンバータの接続は、開示されない。
【発明の概要】
【０００９】
本発明は、エネルギー生成ユニットの電力を変換して変換された電力をエネルギー供給グリッドに供給するためのインバータを動作させる方法を提供するという目的に基づいており、このインバータはＡＣ電圧グリッドの３つの相および中性線を接続するための出力コネクタを備える。本方法は、追加の構成要素なしで、中性線に接続するために設けられたコネクタが実際に中性線に接続されているかどうかを自動的に識別することを可能にするように意図される。
【００１０】
目的は、特許請求項１の特徴を有する、インバータを動作させる方法により、および特許請求項１３の特徴を有するインバータにより、達成される。好ましい実施形態は、従属する特許請求項において定義される。
【００１１】
インバータをＡＣ電圧グリッドの３つの外部導体および中性線に接続するための４つの導体コネクタを持つ端子を有するインバータを動作させるための方法は、インバータのＡＣ電圧グリッドへの接続形態を判定するための検査ステップを含む。インバータのブリッジ回路のスイッチング素子は、零相系統を生成するために、検査ステップの一部として作動する。インバータの出力電流が測定され、零相系統電流に関して評価される。検査ステップの一部として、規定された閾値を超える零相系統電流が出力電流中に検出されるとき、中性線（Ｎ）に接続するために設けられた導体コネクタ（６）への中性線（Ｎ）の接続の存在が識別される。これが当てはまらない場合、すなわち零相系統電流が検出されないか、または低すぎる零相系統電流が検出される場合、中性線（Ｎ）は、中性線（Ｎ）に接続するために設けられた導体コネクタ（６）に接続されていないと識別される。
【００１２】
本発明は、中性線がインバータに接続されており、したがってインバータを介して外部導体および中性線で構成された閉回路が存在するときだけ目標とした方式で零相系統電流を供給することができるという知見に基づいている。実際には、中性線が接続されていなくても外部導体に非対称電流が供給される可能性が同様にあり、前記電流はすべての浮遊容量を介してＤＣ電圧入力に到達することが可能であり、したがって閉回路に沿って流れることが同じく可能である。この種の迷走電流は、中性線を介して流れる零相系統電流に類似した特性を有するが、それは励振が起こったときに著しく低い振幅を有し、したがって、検出された零相系統電流と規定された閾値との比較に基づいて、中性線を介して流れる零相系統電流を放電電流と区別することができる。
【００１３】
検査ステップの結果は、実際に存在する接続形態に適したインバータの動作管理手順を選択するための、インバータのさらなる動作のために使用される。インバータのさらなる動作のために、検査ステップの一部として、中性線に接続するために設けられた導体コネクタへの中性線の接続が存在し、したがって中性線がインバータに接続されていると識別されているとき、４導体動作に適合された第１の動作管理手順が選択され、これが当てはまらない場合、３導体動作に適合された第２の動作管理手順が選択される。それぞれの実際の接続形態に適合された動作管理手順のこの自動選択を通して、一方では、そのインバータが３導体グリッドでも４導体グリッドでも最適に動作し得ることによって普遍的に使用可能であるように、インバータを設計することが可能である。他方、実際の接続形態を確実に識別してインバータの動作管理手順をその接続形態に適合させ、したがって実際の接続形態に適さない機能を動作管理手順の一部として実行しないことによって、起こり得る機能不良を除外する。インバータの出力における電気測定値の検出は、したがって、例えば、実際の接続形態に影響を受けることがあり、動作管理手順の一部としての特定の機能、例えば、ＡＣ電圧グリッドの外部導体への非対称の給電は、中性線がインバータに接続されているときだけ実行することができる。
【００１４】
原則として、インバータは、特定のＰＶ設備に設置するためにオペレータにより特定の接続形態で配置され得る。この目的に向けて、インバータに格納された事前設定値を使用して、インバータを第１の動作管理手順に基づく給電モードで動作させるべきか第２の動作管理手順に基づく給電モードで動作させるべきかを規定することができる。事前設定値により規定された動作管理手順と検査ステップに基づき選択される動作管理手順との間の不一致が起こったときに、警告メッセージを生成することができ、警告メッセージをインバータに格納し、および／またはインバータのオペレータに通信することができる。
【００１５】
インバータは、その後、検査ステップに基づき選択された動作管理手順に基づいて動作することができる。この場合、事前設定値により規定された動作管理手順と検査ステップに基づき選択された動作管理手順との間の不一致が起こったときに、インバータがＡＣ電圧グリッドに電気エネルギーを供給しないようにすることができる。結果として、インバータが配置される接続形態から逸脱する実際の接続形態の存在下で、インバータが給電モードに進むこと、およびＰＶ設備のオペレータに場合によっては望まれない機能を実行することを自動的に防止することが可能である。この種の不一致は、動作管理手順が起動する前に、具体的には検査ステップに続いて、または動作管理手順が起動した後に動作管理手順の一部としての最初のステップの１つとして、具体的にはインバータがＡＣ電圧グリッドに電力を供給する前に、検査することができる。
【００１６】
本方法の１つの実施形態では、インバータがＡＣ電圧グリッドに電力を供給するようにすることができ、第１の動作管理手順は、具体的には、ＡＣ電圧グリッドへの出力電流の非対称な供給を含み得る。検査ステップに基づく動作管理手順の選択が実際に存在する接続形態の確実な検出に対応し、したがって、実際に存在する接続形態を使用して確実な方式で少なくとも一時的に検査ステップに基づき選択された動作管理手順に基づいてインバータが動作し得ることを、本方法が確実にすることによって、電力の供給は、原則として、事前設定値により規定された動作管理手順と検査ステップに基づき選択された動作管理手順との間のどんな不一致とも無関係に行うことができる。不一致が起こったときに、上述の警告メッセージを生成し、任意選択的にインバータのオペレータにその警告メッセージを通信すれば、十分である。
【００１７】
検査ステップは、インバータの起動の一部として実行することができる。結果として、インバータの起動の前に作り出された接続形態をインバータの動作管理手順において考慮し、規定された動作管理手順とのすべての不一致を明らかにして処理することを確実にすることが可能である。
【００１８】
本方法の１つの実施形態では、検査ステップの一部として、インバータのブリッジ回路のスイッチング素子は、グリッド周波数より高い周波数を持つ零相系統を生成するために作動することができる。具体的には、零相系統の周波数は、グリッド周波数の非整数倍を有し得る。結果として、具体的には、検査ステップに含まれる零相系統電流の評価において、迷走電流のグリッド周波数成分、またはインバータにより生成される零相系統と反対に向けられるＡＣ電圧グリッドからの零相系統電流、およびそれらのそれぞれの高調波が考慮されないことによって、本方法は、確実に、接続されたＡＣ電圧グリッドの特性のすべての影響と無関係に動作する。
【００１９】
本方法のさらなる実施形態では、検査ステップの一部として、インバータのブリッジ回路のスイッチング素子を作動させるために制御構造を使用することができ、この制御構造において零相系統電流に対する設定値が零相系統電流の実際値と比較される。この種の制御構造を使用することにより、インバータが閾値より高い零相系統電流を供給しようと努め、この目的に向けて、必要な操作量、具体的にはインバータの出力電圧を連続的に引き上げることによって、特にロバストな方式で本方法を実施することが可能である。閾値に到達することの代わりに、またはそれに加えて、零相系統電流の設定値と便宜的な操作量を使用して達成可能な実際値との間の偏差は、そのとき、小さい偏差が励振の成功、したがって接続された中性線を示す一方で、大きい偏差が、中性線がインバータに接続されていないので、設定値が達成可能でなく零相系統電流が生成され得ないことを意味することによって、中性線の存在を識別するのに適した判定基準を構成する。
【００２０】
直流から交流に電力を変換して変換された電力をＡＣ電圧グリッドに供給するためのインバータは、インバータをＡＣ電圧グリッドの３つの外部導体および中性線に接続するための４つの導体コネクタを持つ端子を備える。本発明によるインバータは、本明細書の前の段落で解説した方法を使用してインバータを動作させるように構成される制御ユニットを備える。
【００２１】
中性線の接続のために設けられた導体コネクタは、この場合、ＤＣ側電圧リンク回路の中央点に接続することができる。代わりに、中性線の接続のために設けられた導体コネクタは、２つの半導体スイッチング素子間の接続部に接続することができ、前記半導体スイッチング素子は、ＤＣ側電圧リンク回路と並列に配置された直列回路を形成する。これらの場合、中性線の接続のために設けられた導体コネクタと、ＤＣ側電圧リンク回路の中央点、またはＤＣ側電圧リンク回路と並列に配置された直列回路の半導体スイッチング素子間の接続部との間に、さらなるスイッチング素子を設けることができる。
【図面の簡単な説明】
【００２２】
本発明は、図に例示される、例示的な実施形態を参照して以下の本文で解説され説明される。
【００２３】
【図１】図１は、４導体系統を用いてＡＣ電圧グリッドに接続されている、インバータを概略的に示す。
【図２】図２は、インバータを動作させるための本発明による方法のブロック図を示す。
【発明を実施するための形態】
【００２４】
図の説明
図１は、４つの導体コネクタ３〜６を持つ端子２を有するインバータ１を示す。ＡＣ電圧グリッド７の３つの外部導体Ｌ１、Ｌ２およびＬ３は、導体コネクタ３、４および５に接続されている。図１に従って、ＡＣ電圧グリッド７の中性線Ｎは、導体コネクタ６に接続されており、中性線Ｎの導体コネクタ６への接続は、原則として、任意選択的であり、具体的には、ＡＣ電圧グリッド７、またはインバータ１を含む大規模なＰＶ設備内の接続設備がまったく中性線を有さないとき、省略される。
【００２５】
インバータ１は、複数のブリッジ分岐に配置されたいくつかのスイッチング素子を含むブリッジ回路８を有する。ブリッジ回路８は、さまざまなトポロジを含むことができ、例えば、Ｂ６ブリッジとして、ＮＰＣ（中性点クランプ式）ブリッジとして、または図１に例示されるいわゆるＢＳ−ＮＰＣ（双方向スイッチＮＰＣ）ブリッジとして実現されてもよく、半導体スイッチ、例えばＭＯＳＦＥＴまたはＩＧＢＴがブリッジ回路のスイッチング素子として一般に使用される。
【００２６】
インバータ１の入力側は、図１による実施形態では２つのキャパシタンスを含む直列回路からなり中央点Ｍを含む、ＤＣリンク回路９を含む。中央点Ｍは、さらなるスイッチ１０、例えばリレーを介して、導体コネクタ６に接続されている。いわゆる三相４レグインバータなどの代替実施形態では、ＤＣリンク回路９と並列に配置されたさらなるブリッジ分岐に、２つの半導体スイッチング素子を含む直列回路を設けることができ、導体コネクタ６は、前記直列回路の半導体スイッチング素子間の接続部に接続することができる。例えばＢ６ブリッジの場合のように、導体コネクタ３、４および５に接続されたブリッジ分岐に中央点Ｍへの接続が同じく設けられていない場合、ＤＣリンク回路９は一体的に形成することができる。
【００２７】
インバータ１の出力側は、出力電流ＩＬ１、ＩＬ２、ＩＬ３を平滑化するためのフィルタ１１を備え、出力電流ＩＬ１、ＩＬ２、ＩＬ３は、ブリッジ回路８の出力電圧を用いて生成され、前記出力電圧は、半導体スイッチによりクロックされる。出力電流ＩＬ１、ＩＬ２、ＩＬ３は、電流センサを用いて測定され、インバータのコントローラに実際値として入力される。ブリッジ回路８および／またはＤＣリンク回路９は、出力電流ＩＬ１、ＩＬ２、ＩＬ３をＡＣ電圧グリッド７に供給し、必要に応じて、具体的には障害が起こったときに、再びＡＣ電圧グリッド７からインバータ１の電子装置を隔離することを可能にするために、切替可能なグリッド隔離点１２を用いて導体コネクタ３〜６に接続することができる。
【００２８】
以下の本文は、中性線の存在およびインバータへのその接続を自動的に検出することができるような方法で、図１によるインバータ１をどのように動作させることができるかを解説する。
【００２９】
図２は、本発明による方法の一実施形態をブロック図の形で示す。ステップＳ１では、例えば、インバータ１を含むＰＶ設備の起動の一部として初めに、またはインバータ１に接続された太陽光発電機上に十分な太陽放射がある朝に、インバータ１が開始される。ステップＳ２では、グリッド隔離点１２が閉じられ、すなわち、ブリッジ回路８から導体コネクタ３、４および５を介して外部導体Ｌ１、Ｌ２およびＬ３に、ならびにＤＣリンク回路９の中央点Ｍから導体コネクタ６を介して任意選択的に存在している中性線Ｎに、接続が確立される。
【００３０】
ステップＳ３では、インバータ１のブリッジ回路８のスイッチング素子は、インバータ１の端子２における零相系統が励振されるように、作動する。この目的に向けて、ブリッジ分岐のスイッチング素子は、例えば、個別に作動してもよく、または、いくつかのブリッジ分岐が互いに同位相で作動してもよく、その結果、零相系統電流を含む、さらにはもっぱら零相系統電流からなる、出力電流が求められる。代わりに、または加えるに、零相系統電流に対する設定値を、例えば、インバータ１の調整の間に、規定することができ、前記設定値は、実際に励振された零相系統電流の実際値と比較され、前記実際値は、測定された出力電流ＩＬ１、ＩＬ２、ＩＬ３から決定される。この場合、零相系統電流の実際値は、適当な変換を用いて、具体的にはいわゆるｄｑ０成分（パーク変換）またはα−β−０成分（クラーク変換）を使用する座標系における時間領域からの変換を用いて、測定された出力電流ＩＬ１、ＩＬ２、ＩＬ３から導出することができる。制御の一部として、次に、制御ループを用いて、ブリッジ回路８のスイッチング素子の適当な作動によって実際値を設定値に近づけようと努めることができる。
【００３１】
ステップＳ４では、測定された出力電流ＩＬ１、ＩＬ２、ＩＬ３は、零相系統電流に関して目標とした方式で評価される。これは、対称座標系でステップＳ３の一部として行われる出力電流ＩＬ１、ＩＬ２、ＩＬ３の変換に基づいて、あるいはさらなる適当な評価を用いて単独で、なされ得る。
【００３２】
ステップＳ４の結果は、ステップＳ３における励振によって生成された零相系統電流の振幅を表す。ステップＳ５では、前記結果は、零相系統電流が成功裏に励振されたか否かに関して評価される。前記評価は、例えば、励振された零相系統電流の振幅と閾値との比較を含み得る。代わりに、調整において、零相系統電流の使用された設定値と実際値とを比較することができ、零相系統電流の設定値と実際値との間の小さい制御偏差は、零相系統電流の励振が成功したことを示す。
【００３３】
ステップＳ６で、零相系統電流が成功裏に励振され得ると判定される場合、中性線Ｎが導体コネクタ６を用いてインバータ１に接続されていることが識別される。この場合、インバータ１は、ステップＳ６ａに従って、４導体動作で動作する。
【００３４】
ステップＳ６で、零相系統電流が励振され得ないと判定される場合、中性線Ｎが導体コネクタ６を用いてインバータ１に接続されていないこと、またはインバータ１の接続設備に、もしくはＡＣ電圧グリッド７に、中性線Ｎが存在しないことが識別される。この場合、インバータ１は、ステップＳ６ｂに従って、３導体動作で動作する。
【００３５】
原則として、インバータ１はそれ自体、中央点Ｍと中性線Ｎとの間の接続を、これが存在するならば、スイッチ１０を用いて同様に作り出しまたは切断することができ、したがって、３導体動作から４導体動作に交替することができ、逆もまた同様である。場合により存在する中性線Ｎと三相４レグインバータのさらなるブリッジ分岐の直列回路との間の上述した接続に同じことが適用され、前記直列回路はＤＣリンク回路９と並列に配置される。このように動作のモードを交替することは、具体的には、インバータ１が、例えば効率性の理由で、中性線Ｎが存在し接続されているにもかかわらず、３導体動作でできる限り長く動作するように意図され、必要なとき、すなわち、例えば、グリッド支援のために非対称の出力電流ＩＬ１、ＩＬ２、ＩＬ３を生成するように意図されるときだけ、スイッチ１０を有効にすることによって４導体動作で動作するように意図される場合に、好都合であり得る。
【００３６】
本発明の有利な展開は、特許請求の範囲、明細書および図面から明らかになるであろう。本明細書で言及した、特徴の利点および複数の特徴の組合せの利点は、ただ例示的なものにすぎず、本発明による実施形態から必然的に達成されなければならない利点なしで、代替的にまたは累積的に効力を生じ得る。添付の特許請求の範囲の主題を変更することなく、元の出願書類および本特許の開示内容に関して以下が適用され、すなわち、さらなる特徴が図面−具体的には、描写された幾何学的形状およびいくつかの構成要素の互いに対する相対的寸法ならびにそれらの相対的配置および作動的接続−から明らかである。本発明の異なる実施形態の特徴の組合せ、または異なる特許請求項の特徴の組合せは、特許請求項の選択された後方参照からの逸脱として同じく可能であり、ここに奨励される。これは、同様に、別個の図面で描写される、またはその説明で言及されるような特徴に関する。これらの特徴は、同様に、異なる特許請求項の特徴と組み合わせることができる。同様に、特許請求の範囲に列挙された特徴は、本発明のさらなる実施形態に対して省くことができる。
【００３７】
それらの数に関して、特許請求の範囲および明細書で言及された特徴は、副詞「少なくとも」の明示的な使用を何も必要とすることなく、正確にこの数、または言及された数より大きい数が存在していることを意味すると理解され得る。したがって、例えば、１つの要素を参照する場合、これは、正確に１つの要素、２つの要素またはより多くの要素が存在していることを意味すると理解され得る。これらの要素は他の要素によって補足することができ、または、これらの要素はそれぞれの方法もしくはそれぞれの装置が参照する唯一の要素であってもよい。
【００３８】
特許請求の範囲に含まれる参照符号は、特許請求の範囲により保護される主題の適用範囲を限定しない。それらはただ、特許請求の範囲がより容易に理解されるようにする目的を果たすにすぎない。
【符号の説明】
【００３９】
１  インバータ
２  端子
３〜６  導体コネクタ
７  ＡＣ電圧グリッド
８  ブリッジ回路
９  ＤＣリンク回路
１０  スイッチング素子
１１  フィルタ
１２  グリッド隔離点
Ｌ１、Ｌ２、Ｌ３  外部導体
ＩＬ１、ＩＬ２、ＩＬ３  出力電流
Ｍ  中央点
Ｓ１〜Ｓ５、Ｓ６ａ、Ｓ６ｂ  ステップ
【図１】
0006799057.tif 000002
【図２】
0006799057.tif 000003